(57)【要約】【課題】  従来の充電器等ＡＣコンセントに接続し使用する機器においてはＡＣブレードの位置が機器に固定されておりＡＣコンセントの位置によって、接続し難いといった不具合や、国ごとのＡＣコンセント形状用の変換アダプタを使用しＡＣコンセントに接続する方法において、かさばる、複雑な構造になるといった不具合の解決を目的とする。【解決手段】  ＡＣコンセントへの接続部に回転を可能とする構造を持ち、ＡＣブレードを収納可能とすること、またＡＣブレード部には更にＡＣインレットを有しＡＣケーブルによる接続をも可能とし使い勝手を向上する手段を有する。【選択図】  図８
2007165094.tif 000002
【特許請求の範囲】
【請求項１】
ＡＣコンセントにて駆動することが可能な機器であって、ＡＣコンセントへの接続部が回転可能な構造で、ＡＣコンセントに直接接続可能なＡＣブレードを持ち、ＡＣブレードが収納可能な構造を持ち、ＡＣブレードとは別にＡＣインレットを備えた事を特徴とするＡＣ駆動機器。
【請求項２】
前記ＡＣブレード部とインレット部が回転軸に対して、正対して位置する事を特徴とする請求項１のＡＣ駆動機器。
【請求項３】
前記ＡＣブレード部とインレット部が回転軸に対して、直交して位置する事を特徴とする請求項１のＡＣ駆動機器。
【請求項４】
ＡＣコンセントにて駆動することが可能な機器であって、ＡＣコンセントへの接続部が回転可能な構造で、ＡＣコンセントに直接接続可能なＡＣブレードを持ち、ＡＣブレードが収納可能な構造を持ち、ＡＣブレードとは別にＡＣインレットを備え、ＡＣブレードとＡＣインレットが同時に接続できない事を特徴とするＡＣ駆動機器。
【請求項５】
前記ＡＣブレード部が回転軸に対して、位置決めを有する事を特徴とする請求項１〜４いずれかのＡＣ駆動機器。
【発明の詳細な説明】
【技術分野】
【０００１】
本発明は、ＡＣ駆動機器のＡＣコンセントへの接続の構造に関するものである。
【背景技術】
【０００２】
従来の充電器等ＡＣコンセントに接続し使用する機器においてはＡＣブレードの位置が機器に固定されておりＡＣコンセントの位置によって、接続し難いといった不具合があった。
【０００３】
また、国ごとにＡＣコンセントの形状が異なり変換用のアダプタを使用しＡＣコンセントに接続する方法が有ったが、充電器などに更に変換用アダプターを付ける為かさばる、複雑な構造になるといった不具合があった。
【０００４】
これらを解決する為に専用のブレードの形状アダプタを交換して使用する構造をとり小型化した電源装置がある（特許文献１参照。）。
【０００５】
また、ＡＣ栓刃を３種類以上備え、ＡＣアダプタ本体と係合され、係合部を軸として３６０度回動し、３ヶ国以上で使用可能なＡＣアダプタを提供できるものがある（特許文献２参照。）。
【０００６】
しかしながらいずれも、位置が固定されていたり構造や操作が複雑といった不具合が解消されていなかった。
【０００７】
本発明による機器によれば、ＡＣコンセントへのブレード部を回転収納を可能とし、更にＡＣブレード部にＡＣインレット機能を持たせ、ＡＣ機器をダイレクトにＡＣコンセントに接続できる構造を持ち、国々で種類の異なるＡＣブレード形状に対して、またコンセント位置によって従来よりの標準的なＡＣケーブルを接続できるＡＣインレットを備え対応させることでより使い勝手の良い機器とすることが可能となる。
【特許文献１】特開平７−２６４８５５号公報
【特許文献２】特開２００３−１７１７５号公報
【発明の開示】
【発明が解決しようとする課題】
【０００８】
従来の充電器等ＡＣコンセントに接続し使用するＡＣ機器においてはＡＣブレードの位置が機器に固定されておりＡＣコンセントの位置によって、接続し難いといった不具合や国ごとにＡＣコンセントの形状が異なるために煩雑であるといった不具合があった。
【０００９】
これらを解決する為に専用のブレードの形状アダプタを交換して使用する機器やＡＣ栓刃を複数種類以上備え、各国で使用可能なＡＣアダプタなどがあった。
【００１０】
しかしながらいずれも、位置が固定されていること、複雑な構造、操作の不具合が解消されていない。
【００１１】
本発明は、上記従来の問題に鑑み、ＡＣコンセントへの接続部を回転収納可能とし、ＡＣコンセントに直接接続できる便利さを有し、ＡＣケーブルを使った接続も可能とする事で使い勝手の良い機器とすること等を目的とする。
【課題を解決するための手段】
【００１２】
前記目的を達成するために、本発明によるＡＣ機器にはＡＣコンセントへの接続部に回転を可能とする構造を持ち、ＡＣブレードを収納可能とすること、またＡＣブレード部には更にＡＣインレットを有しＡＣケーブルによる接続を可能とし使い勝手を向上する手段を有する。
【００１３】
本発明によるＡＣ機器によれば、ＡＣブレード部の向きを回転、出来る手段を有し、ＡＣブレード部が収納可能でスマートな接続が可能となることや、ＡＣケーブルを使用してＡＣコンセントに接続することで隣接するコンセントを塞いでしまうといった不具合も解消でき、各国ごとのコンセント形状に拠らずより使い勝手の高いＡＣ機器を提供することが出来る。
【発明の効果】
【００１４】
本発明に拠れば、従来の充電器等ＡＣコンセントに接続し使用するＡＣ機器において、ＡＣブレードの位置が機器に固定されておりＡＣコンセントの位置によって、接続し難いといった不具合、国ごとにＡＣコンセントの形状が異なるために煩雑であるといった不具合また専用のブレードの形状アダプタを交換して使用する機器やＡＣブレードを複数種類以上備え、各国で使用可能なＡＣアダプタなどがあったが、位置が固定されている不具合が解消されない、構造や操作が複雑という不具合があった。
【００１５】
本発明は、上記従来の問題に鑑み、ＡＣコンセントへの接続部を回転、収納を可能とし更にＡＣインレットを持つことで使い勝手の良い機器とすること等が可能となる。
【発明を実施するための最良の形態】
【００１６】
（実施例１）
図１、は従来の充電器とＡＣコンセントを示す図であり、充電器１をＡＣコンセント２のコンセント３ａ、３ｂに接続し使用する。
【００１７】
図２は図１を反対側から見た図であり、充電器１には固定されたＡＣブレード４を有する。
【００１８】
図３は側面からの図であり、充電器１のＡＣブレード４が固定されている為３ａに接続すると３ｂは使用できなくなる。
【００１９】
図４は本実施例の概略を示す図であり、図４に於いて充電器４０には可動できるＡＣブレード保持部４１を有する。
【００２０】
図５はＡＣブレード部４１を示す図であり、ＡＣブレード部４１はモールド部５１、ブレード部５２、インレット端子部５３から構成されており、モールド部５１には軸形状部５４を有する。
【００２１】
この軸形状部５４には接点５５、接点５６が露出しているこの接点５５、５６はそれぞれブレード部５２と接点５５、インレット端子部５３と接点５６が電気的に接続されている。
【００２２】
図６は本実施例の充電器１の外装ケース６１を示す図であり、ケースにはＡＣブレード部４１の軸形状部５４を受ける軸受部６２を有する。更にこのケース６１には基板６３が組込まれ基板６３の接点６４がＡＣブレード部４１の接点部５５、５６と決まった位置でのみ接触する位置に設定してある。
【００２３】
基板には図示しない電気回路、二次電池への充電端子部を有しＡＣブレード部４１のブレード部５２が露出した状態とインレット部５３が使用可能な位置に来た際各々電気的に閉じ充電器として機能する。
【００２４】
図７は本実施例のＡＣブレード保持部４１が軸形状部５４によって回転する様子を示す図である。本実施例ではＡＣブレード部４１は軸形状部５４によって１８０度回転する事が可能である。
【００２５】
図８はＡＣブレード部４１が可動して使用状態にある状態を示す図であり、ブレード部５２を直接ＡＣコンセントに接続してもインレット端子部５３にＡＣケーブルを接続して使用することも可能となる。
【００２６】
また、この状態では各々どちらかの経路でのみの接続が可能である。
【００２７】
図９（ａ）及び図９（ｂ）は本実施例の充電器をＡＣコンセントに接続する状態を示す概略の図であり同時に２つの充電器或いは一つは別の機器を接続する事が可能である。
【００２８】
このように、ＡＣブレード部４１を回転可能とする構造を持ち、ＡＣコンセントの位置に寄らず、更にインレット部をもつことでＡＣコンセント位置に対して自由なより使い勝手の良い充電器とすることが可能となる。
【００２９】
（実施例２）
本実施例の基本構成は実施例１と同様であり、図１０は本実施例の概略を示す図である。図１０に於いて充電器４０には可動できるＡＣブレード保持部４１を有する。本実施例では、実施例１とはブレード部とインレット端子部との位置関係が異なっている。
【００３０】
図11はＡＣブレード部４１を示す図であり、ＡＣブレード部４１はモールド部５１、ブレード部５２、インレット端子部５３から構成されており、モールド部５１には軸形状部５４を有する。
【００３１】
この軸形状部５４には接点５５、接点５６が露出しているこの接点５５、５６はそれぞれブレード部５２と接点５５、インレット端子部５３と接点５６が電気的に接続されている。
【００３２】
本実施例では、ブレード部５２、インレット端子部５３が軸形状部５４に対して実施例１では正対していたが本実施例では直交した位置に配置されている。
【００３３】
ＡＣブレード部４１の位置決めボス１１１を設け使用時の位置を固定する事が可能となる。
【００３４】
また、接点５５と接点５６を実施例１同様に別々に設けたが、ブレード部５２とインレット端子部５３が同時に使用可能な位置に来ない為共用化しても良い。
【００３５】
このように、ＡＣブレード部４１を回転可能とする構造を持ち、更にその回転位置が決まる構造を持つ事で、ＡＣコンセントの位置に寄らず、更にインレット部をもつことでＡＣコンセント位置に対して自由なより使い勝手の良い充電器とすることが可能となる。
【図面の簡単な説明】
【００３６】
【図１】従来の充電器とＡＣコンセントの外観を示す図
【図２】図１を反対側から見た図
【図３】従来の充電器とＡＣコンセントの側面からの図
【図４】実施例１の概略を示す図
【図５】実施例１のＡＣブレード部を示す図
【図６】実施例１の各部位の構造を示す図
【図７】ＡＣブレード部の回転を示す図
【図８】実施例１の使用状態を示す概略図
【図９】ＡＣコンセントへの接続を示す図
【図１０】実施例２の外観を示す図
【図１１】実施例２のＡＣブレード部を示す図
【符号の説明】
【００３７】
１  充電器
２  ＡＣコンセント
３ａ  コンセント
３ｂ  コンセント
４  ＡＣブレード
４０  充電器
４１  ＡＣブレード保持部
５１  モールド部
５２  ブレード部
５３  インレット端子部
５４  軸形状部
５５  接点
５６  接点
６１  外装ケース
６２  軸受部
６３  基板
６４  接点
１１１  位置決めボス
【図１】
2007165094.tif 000003
【図２】
2007165094.tif 000004
【図３】
2007165094.tif 000005
【図４】
2007165094.tif 000006
【図５】
2007165094.tif 000007
【図６】
2007165094.tif 000008
【図７】
2007165094.tif 000009
【図８】
2007165094.tif 000010
【図９】
2007165094.tif 000011
【図１０】
2007165094.tif 000012
【図１１】
2007165094.tif 000013